(57)【要約】  広告キーワードの提案方法およびそのシステムを提供する。本方法は、新規の広告主と関連するキーワードの入力を受信し、所定の基準以上の成果を有する既存の広告主の広告キーワードのうちの代表キーワードを抽出し、前記新規の広告主と関連して入力されたキーワードと前記既存の広告主の代表キーワードとを比較し、前記比較結果に基づいて前記新規の広告主が前記既存の広告主と同一業種に属するかどうかを判断し、判断の結果に基づいて所定のキーワードセットを業種キーワードに指定し、前記業種キーワードを分析した結果基づいて広告キーワードを前記新規の広告主に提案することを含む。
2010537271.tif 000002
【特許請求の範囲】
【請求項１】
新規の広告主と関連するキーワードの入力を受信し、
既存の広告主の所定の基準以上の成果を有する広告キーワードの中から代表キーワードを抽出し、
前記新規の広告主と関連して入力されたキーワードと前記既存の広告主の代表キーワードとを比較し、
前記比較結果に基づいて前記新規の広告主が前記既存の広告主と同一業種に属するかどうかを判断し、
前記同一業種に属するかどうかの判断に基づいて所定のキーワードセットを業種キーワードに指定し、
前記業種キーワードを分析して得られる結果に基づいて広告キーワードを前記新規の広告主に提案することを特徴とする広告キーワードの提案方法。
【請求項２】
前記抽出においては、前記代表キーワードとして、前記既存の広告主の、それぞれ所定の基準以上のクリック課金、およびクリックまたはキーワード数を充足する広告キーワードの中から基準値以上の売上げ上位のキーワードを抽出することを特徴とする請求項１に記載の広告キーワードの提案方法。
【請求項３】
前記判断においては、前記新規の広告主から入力されたキーワードと前記既存の広告主の代表キーワードとを比較した結果、キーワード間の一致率が、ある基準値以上である場合、前記新規の広告主が前記既存の広告主と同一業種に属すると判断し、
前記指定においては、前記新規の広告主が前記既存の広告主と同一業種に属すると判断される場合、前記既存の広告主が運用するキーワードセットを前記業種キーワードに指定することを特徴とする請求項１に記載の広告キーワードの提案方法。
【請求項４】
前記提案においては、前記業種キーワードを分析した結果、定められた期間内でクリック率が一定のレベル以下の業種キーワードを除去した残りの業種キーワードを前記広告キーワードとして前記新規の広告主に提案することを特徴とする請求項１に記載の広告キーワードの提案方法。
【請求項５】
前記受信においては、前記新規の広告主からキーワードの入力、業種を選択するためのキーワードの入力、または前記新規の広告主のホームページを分析して抽出されたキーワードの入力を、直接受信することを特徴とする請求項１に記載の広告キーワードの提案方法。
【請求項６】
前記判断においては、前記新規の広告主から入力されたキーワードと前記既存の広告主の代表キーワードとを比較した結果、キーワード間の一致率が基準値未満である場合、前記新規の広告主が前記既存の広告主と同一業種でない新規業種に属すると判断し、
前記指定においては、前記新規の広告主が新規業種の広告主であると判断された場合、前記新規の広告主のホームページを分析して抽出したキーワードセットを前記業種キーワードとして指定することを特徴とする請求項１に記載の広告キーワードの提案方法。
【請求項７】
前記提案された広告キーワードを用いて広告グループを自動的に設定して広告を掲載することをさらに含むことを特徴とする請求項１に記載の広告キーワードの提案方法。
【請求項８】
請求項１〜請求項７のうちのいずれか１項の方法を実行するためのプログラムが記録されていることを特徴とするコンピュータで読取り可能な記録媒体。
【請求項９】
新規の広告主と関連するキーワードの入力を受信するキーワード入力部と、
既存の広告主の一定の基準以上の成果を有する広告キーワードの中から代表キーワードを抽出する代表キーワード抽出部と、
前記新規の広告主と関連して入力されたキーワードと前記既存の広告主の代表キーワードとを比較するキーワード比較部と、
前記比較の結果に応じて前記新規の広告主が前記既存の広告主と同一業種に属するかどうかを判断する業種判断部と、
前記判断の結果に応じて所定のキーワードセットを業種キーワードに指定する業種キーワード指定部と、
前記業種キーワードを分析した結果に応じて広告キーワードを前記新規の広告主に提案する広告キーワード提案部と、
を備えることを特徴とする広告キーワード提案システム。
【請求項１０】
前記代表キーワード抽出部は、前記代表キーワードとして、前記既存の広告主の、所定の基準以上のクリック課金、およびクリックまたはキーワード数をそれぞれ充足する広告キーワードのうちの基準値以上の売上げ上位のキーワードを、抽出することを特徴とする請求項９に記載の広告キーワード提案システム。
【請求項１１】
前記業種判断部は、前記新規の広告主から入力されたキーワードと前記既存の広告主の代表キーワードとの比較結果に応じて、キーワード間の一致率が、ある基準値以上である場合、前記新規の広告主が前記既存の広告主と同一業種に属すると判断し、
前記業種キーワード指定部は、前記新規の広告主が前記既存の広告主と同一業種に属すると判断される場合、前記既存の広告主が運用するキーワードセットを前記業種キーワードに指定することを特徴とする請求項９に記載の広告キーワード提案システム。
【請求項１２】
前記広告キーワード提案部は、前記業種キーワードを分析した結果に基づいて、定められた期間内においてクリック率が一定のレベル以下の業種キーワードを除去した残りの業種キーワードを前記広告キーワードとして前記新規の広告主に提案することを特徴とする請求項９に記載の広告キーワード提案システム。
【請求項１３】
前記キーワード入力部は、前記新規の広告主から直接キーワードの入力、業種を選択するためのキーワードの入力、または前記新規の広告主のホームページを分析して抽出されたキーワードの入力を、直接受信することを特徴とする請求項９に記載の広告キーワード提案システム。
【請求項１４】
前記業種判断部は、前記新規の広告主から入力されたキーワードと前記既存の広告主の代表キーワードとを比較した結果により、キーワード間の一致率が基準値未満である場合、前記新規の広告主が前記既存の広告主と同一業種でない新規業種に属すると判断し、
前記広告キーワード指定部は、前記新規の広告主が新規業種の広告主であると判断された場合、前記新規の広告主のホームページを分析して抽出したキーワードセットを前記業種キーワードに指定することを特徴とする請求項９に記載の広告キーワード提案システム。
【請求項１５】
前記提案された広告キーワードを用いて広告グループを自動的に設定して広告を掲載する広告掲載部をさらに備えることを特徴とする請求項１に記載の広告キーワード提案システム。
【発明の詳細な説明】
【技術分野】
【０００１】
本発明は、広告主の業種を判断して広告主の業種に適した広告キーワードを提案する方法およびそのシステムに関し、より詳しくは、新規の広告主によって入力されたキーワードと既存の広告主の代表キーワードを比較した結果に応じて新規の広告主の業種を判断して新規の広告主の業種に適した広告キーワードを提案する方法およびそのシステムに関する。
【背景技術】
【０００２】
一般的に、インターネットを用いた広告方法は、広告主によって購買された広告キーワードが問い合わせとして入力され、その問い合わせに対する検索結果に基づいて、その広告主によって登録された広告が表示等される。
【０００３】
しかし、このような従来の広告方法は、表示等される広告に対応する広告キーワードを広告主が直接選択して購入しなければならないという煩わしさがある。また、従来の広告方法は、広告主によって選択された広告キーワードが人気のある検索語ではない場合、または広告主の業種と関連性が薄い場合には、広告効果が落ちるという問題がある。さらに、従来の広告方法は、広告主が広告キーワードを一つ一つ購入しなければならないという煩わしさがある。
【０００４】
したがって、広告主の業種を判断して広告主の業種に適した広告キーワードを提案することのできる方案が切実に求められる。
【発明の概要】
【発明が解決しようとする課題】
【０００５】
本発明の一側面として、新規の広告主によって入力されるキーワードと既存の広告主の代表キーワードとを比較して新規の広告主の業種を判断し、把握された新規の広告主の業種に適した広告キーワードを提案する方法およびそのシステムを提供する。
【０００６】
また、本発明の一側面として、既存の広告主によって広告効果が検証されたキーワードを広告キーワードとして新規の広告主に提案する広告キーワードの提案方法およびそのシステムを提供する。
【０００７】
また、本発明の一側面として、新規の広告主が直接業種のキーワードを発見しなくても既存の広告主の広告キーワードを比較して新規の広告主の業種を把握できるようにする広告キーワードの提案方法およびそのシステムを提供する。
【０００８】
また、本発明の一側面として、既存の広告主の広告キーワードを分析し、業種と関連性の高い広告キーワードを新規の広告主に提案する広告キーワードの提案方法およびそのシステムを提供する。
【課題を解決するための手段】
【０００９】
本発明の一実施形態に係る広告キーワードの提案方法は、新規の広告主と関連するキーワードの入力を受信し、既存の広告主の所定の基準以上の成果を有する広告キーワードの中から代表キーワードを抽出し、前記新規の広告主と関連して入力されたキーワードと前記既存の広告主の代表キーワードとを比較し、前記比較結果に基づいて前記新規の広告主が前記既存の広告主と同一業種に属するかどうかを判断し、前記判断の結果に基づいて所定のキーワードセットを業種キーワードに指定し、前記業種キーワードを分析した結果に基づいて広告キーワードを前記新規の広告主に提案することを含む。
【００１０】
本発明の一実施形態に係る広告キーワード提案システムは、新規の広告主と関連するキーワードの入力を受信するキーワード入力部と、既存の広告主の所定の基準以上の成果を有する広告キーワードの中から代表キーワードを抽出する代表キーワード抽出部と、前記新規の広告主と関連して入力されたキーワードと前記既存の広告主の代表キーワードとを比較するキーワード比較部と、前記比較の結果に応じて前記新規の広告主が前記既存の広告主と同一業種に属するかどうかを判断する業種判断部と、前記判断の結果に応じて所定のキーワードセットを業種キーワードに指定する業種キーワード指定部と、前記業種キーワードを分析した結果に基づいて広告キーワードを前記新規の広告主に提案する広告キーワード提案部と、を備える。
【発明の効果】
【００１１】
以上のように、本発明によれば、広告主の業種を判断し、判断された広告主の業種に適した広告キーワードを提案することによって、広告主が広告キーワードを一つ一つ購入しなければならないという煩わしさを軽減させることができる広告キーワードの提案方法およびそのシステムが提供される。
【００１２】
また、本発明によれば、既存の広告主によって広告効果が検証されたキーワードを広告キーワードとして新規の広告主に提案することによって、自動掲載を用いなくてもキーワードの提供によって合理的な費用で広告を運営することのできる広告キーワードの提案方法およびそのシステムが提供される。
【００１３】
また、本発明によれば、新規の広告主が業種のキーワードを直接選択しなくとも既存の広告主の広告キーワードを比較して新規の広告主の業種を把握できるように広告キーワードの提案方法およびそのシステムが提供される。
【００１４】
また、本発明によれば、既存の広告主の広告キーワードを分析して業種と関連性の高い広告キーワードを新規の広告主に提案する広告キーワードの提案方法およびそのシステムが提供される。
【図面の簡単な説明】
【００１５】
【図１】本発明に係る既存の広告主、新規の広告主、および広告キーワード提案システムの連動関係を示す図である。
【図２】既存広告主端末機で既存の広告主によって選択された広告キーワードの一例を示す図である。
【図３】新規広告主端末機で新規の広告主によって入力されたキーワードの一例を示す図である。
【図４】広告キーワード提案システムでキーワードに対する一致率が基準値以上の既存広告主キーワードプールから収集されたキーワードの一例を示す図である。
【図５】本発明の一実施形態に係る広告キーワード提案システムの構成を示す図である。
【図６】本発明の一実施形態に係る広告キーワードの提案方法の流れを示す図である。
【発明を実施するための形態】
【００１６】
本発明の実施形態を詳細にこれから説明し、実施形態の例は添付の図面に示されており、同様の要素には同様の符号を付ける。以下に、実施形態を、本発明を説明するために図面を参照して示す。
【００１７】
図１は、本発明の一実施形態に係る新規の広告主、既存の広告主、および広告キーワード提案システムの連動関係を示す図である。
【００１８】
図１を参照すれば、第１〜第３既存広告主端末機１０１、１０２、１０３は、それぞれ所定の基準以上のクリック課金（ＰＰＣ：Ｐａｙ  Ｐｅｒ  Ｃｌｉｃｋ）、およびクリック（ｃｌｉｃｋ）またはキーワード数を充足する高性能（ｈｉｇｈ  ｐｅｒｆｏｒｍａｎｃｅ）の広告主であり、広告キーワードを広告キーワード提案システム１１０に提供する。
【００１９】
図２は、既存広告主端末機において既存の広告主に選択された広告キーワードの一例を示す図である。
【００２０】
図２を参照すれば、第１既存広告主端末機１０１は、ナイキシューズ、アディダスシューズ、ナイキランニングシューズ、プーマランニングシューズ、エアーマックス、テニスシューズ、靴を安く売る店などの第１広告キーワード２１０の広告キーワードプール（ｐｏｏｌ）を広告キーワード提案システム１１０に提供する。すなわち、第１既存広告主端末機１０１は、所定の基準のＰＰＣ、およびクリックまたはキーワード数を充足する高性能のランニングシューズショッピングモールである第１の既存の広告主によって選択された第１広告キーワード２１０を、広告キーワード提案システム１１０に提供することができる。
【００２１】
第２既存広告主端末機１０２は、お花配達、こどもの日、父母の日、全国お花配達、２４時間配達、感謝の心、釜山お花配達などの第２広告キーワード２２０の広告キーワードプールを、広告キーワード提案システム１１０に提供する。すなわち、第２既存広告主端末機１０２は、所定の基準のＰＰＣ、およびクリックまたはキーワード数を充足する高性能のお花配達ショッピングモールである第２の既存の広告主によって選択された第２広告キーワード２２０を広告キーワード提案システム１１０に提供することができる。
【００２２】
第３既存広告主端末機１０３は、ナイキシューズ、アディダスシューズ、ランニングシューズ、スニーカー、ナイキランニングシューズ、プーマランニングシューズ、エアーマックスなどの第３広告キーワード２３０の広告キーワードプールを広告キーワード提案システム１１０に提供する。すなわち、第３既存広告主端末機１０３は、所定の基準のＰＰＣ、およびクリックまたはキーワード数を充足する高性能のランニングシューズショッピングモールの第３の既存の広告主によって選択された第３広告キーワード２３０を広告キーワード提案システム１１０に提供することができる。
【００２３】
このように、広告キーワード提案システム１１０は、所定の基準のＰＰＣ、およびクリックまたはキーワード数を充足する高性能の既存広告主端末機１０１〜１０３から広告キーワード２１０〜２３０の提供を受けてもよい。
【００２４】
新規広告主端末機１０４は、新しい広告を所定数行なおうとする新規の広告主からのキーワードの入力を受信し、受信されたキーワードを広告キーワード提案システム１１０に提供する。すなわち、新規広告主端末機１０４は、新規の広告主と関連するキーワードの入力を受信する。一例として、新規広告主端末機１０４は、前記新規の広告主から直接キーワードの入力を受信したり、新しい広告を行なおうとする業種を選択するためのキーワードの入力を受信したり、新規の広告主のホームページを分析して抽出されたキーワードの入力を受信したりすることができる。
【００２５】
図３は、新規広告主端末機で新規の広告主によって入力されたキーワードの一例を示す図である。
【００２６】
図３を参照すれば、新規広告主端末機１０４は、ナイキシューズ、アディダスシューズ、ランニングシューズ、スニーカー、ナイキランニングシューズ、プーマランニングシューズ、エアーマックスなどの代表キーワード３１０を、広告キーワード提案システム１１０に入力する。すなわち、新規広告主端末機１０４は、新規の広告主から指定された最小の個数の代表キーワード３１０の入力を受信したり、広告業種を選択するためのキーワードの入力を受信したり、新規の広告主のホームページを分析して抽出されたキーワードの入力を受信したりすることができる。そして、新規広告主端末機１０４は、受信されたキーワードを広告キーワード提案システム１１０に入力してもよい。
【００２７】
このように、広告キーワード提案システム１１０は、新規広告主端末機１０４によって新しい広告を行なおうとする新規の広告主から指定された最小の個数の代表キーワードの入力を受信したり、業種を選択するためのキーワードの入力を受信したり、新規の広告主のホームページを分析して抽出されたキーワードの入力を受信したりすることができる。
【００２８】
広告キーワード提案システム１１０は、所定の基準以上の成果を有する既存広告主端末機１０１〜１０３の広告キーワード２１０〜２３０の中から代表キーワードを抽出する。すなわち、広告キーワード提案システム１１０は、所定の基準以上のクリック課金、クリック、およびキーワード数を充足する前記既存の広告主の広告キーワードのうちの基準値以上の売上げ上位のキーワードを、代表キーワードとして抽出することができる。
【００２９】
広告キーワード提案システム１１０は、新規広告主端末機１０４から前記新規の広告主と関連して入力されたキーワードと前記既存の広告主の代表キーワードとを比較する。すなわち、広告キーワード提案システム１１０は、代表キーワードすなわち既存広告主端末機１０１〜１０３の広告キーワード２１０〜２３０のうちの売上げ上位のキーワードと新規広告主端末機１０４から入力されたキーワードとを比較する。一例として、広告キーワード提案システム１１０において、第１既存広告主端末機１０１の第１広告キーワード２１０と新規広告主端末機１０４から入力されたキーワードとを比較した結果、第１広告キーワード２１０と前記入力されたキーワードとが同じである場合、前記キーワードに対する一致率を１００％とすることができる。別の一例として、広告キーワード提案システム１１０において、第２既存広告主端末機１０２の第２広告キーワード２２０と新規広告主端末機１０４から入力されたキーワードとを比較した結果、第２広告キーワード２２０と前記入力されたキーワードとが互いに異なる場合、前記キーワードに対する一致率を０％とすることができる。さらに別の一例として、広告キーワード提案システム１１０で、第３既存広告主端末機１０３の第３広告キーワード２３０と新規広告主端末機１０４から入力されたキーワードとを比較した結果によれば第３広告キーワード２３０と前記入力されたキーワードが１０個のうちの７個が同一である場合、前記キーワードに対する一致率を７０％とすることができる。
【００３０】
図４は、広告キーワード提案システムにおいて、既存広告主キーワードプールから収集されたキーワードであって所定の基準以上の一致率のキーワードの一例を示す図である。
【００３１】
図４を参照すれば、広告キーワード提案システム１１０は、既存広告主端末機１０１〜１０３の代表キーワードと新規広告主端末機１０４から入力されたキーワードとを比較した結果によれば、靴を安く売る店、ナイキエアーマックス、ジョーダンが履いたシューズ、安全なサッカーシューズ、スニーカー、スプリススニーカー、デニス・ガンが宣伝しているシューズなどの、キーワードの一致率が所定の基準値以上となる、キーワードを収集してもよい。
【００３２】
広告キーワード提案システム１１０は、前記比較結果に応じて前記新規の広告主が前記既存の広告主と同一業種に属するかどうかを判断する。すなわち、広告キーワード提案システム１１０は、前記新規の広告主から入力されたキーワードと前記既存の広告主の代表キーワードとを比較した結果、キーワードの一致率が所定の基準値以上である場合、前記新規の広告主が前記既存の広告主と同一業種であると判断することができる。一例として、前記既存の広告主の代表キーワードと新規の広告主から入力されたキーワードとを比較した結果として、キーワードの一致率が７０％以上である既存広告主端末機の業種がランニングシューズショッピングモールである場合、広告キーワード提案システム１１０は、前記新規の広告主の業種が前記既存の広告主と同一のランニングシューズショッピングモールであると判断することができる。また、広告キーワード提案システム１１０は、前記新規の広告主から入力されたキーワードと前記既存の広告主の代表キーワードとを比較した結果、一致率が所定の基準値未満である場合、前記新規の広告主が前記既存の広告主と同一業種でない新規業種に属すると判断することができる。一例として、前記既存の広告主の代表キーワードと前記新規の広告主の入力キーワードとを比較した結果によればキーワードの一致率が７０％未満である場合、広告キーワード提案システム１１０は、前記新規の広告主が前記既存の広告主と同一業種でない新規業種に属すると判断することができる。
【００３３】
広告キーワード提案システム１１０は、新規の広告主と既存の広告主とが同一業種であるかどうかの判断に基づいて所定のキーワードセットを業種キーワードに指定する。一例として、前記新規の広告主が前記既存の広告主と同一業種である場合、広告キーワード提案システム１１０は、前記既存の広告主が運用するキーワードセットを業種キーワードに指定してもよい。一例として、前記新規の広告主が新規業種に属する場合、広告キーワード提案システム１１０は、前記新規の広告主のホームページを分析して抽出したキーワードセットを前記業種キーワードに指定することができる。
【００３４】
広告キーワード提案システム１１０は、前記業種キーワードを分析した結果に基づいて広告キーワードを前記新規の広告主に提案する。すなわち、広告キーワード提案システム１１０は、広告キーワードとして用いられている業種キーワードを除いた残りを提案することができる。このとき、前記業種キーワードを分析した結果として定められた期間内でクリック率（ｃｌｉｃｋ  ｔｈｒｏｕｇｈ  ｒａｔｅ）が所定のレベル以下の業種キーワードを除去した残りの業種キーワードを前記広告キーワードとして前記新規の広告主に提案することができる。一例として、業種機ワードの分析結果に基づいて最近３ヶ月内のクリック率が所定のレベル以下の業種キーワードを除去した残りの業種キーワードを前記広告キーワードとして新規広告主端末機１０４に提供してもよい。また、広告キーワード提案システム１１０は、前記新規の広告主が新規業種に属する場合、前記新規の広告主のホームページを分析した結果に基づいて指定された業種キーワードを前記広告キーワードとして前記新規の広告主に提案することができる。
【００３５】
広告キーワード提案システム１１０は、前記提案された広告キーワードを用いて広告グループを自動的に設定して広告を掲載する。すなわち、広告キーワード提案システム１１０は、前記提案された広告キーワードを、広告グループまたは広告キャンペーンとして自動的に設定し、広告主によって運営されることができる。
【００３６】
このように、本発明の本実施形態に係る広告キーワード提案システム１１０は、新規の広告主の業種を判断して適した広告キーワードを新規の広告主に提案することができる。
【００３７】
また、本発明の本実施形態に係る広告キーワード提案システム１１０は、従来広告主が直接に業種のキーワードを選択するという煩わしさを軽減させることができ、関連キーワード方式によって関連性の高い業種として検証された業種に関する広告キーワードを提案することができる。
【００３８】
図５は、本発明の一実施形態に係る広告キーワード提案システムの構成を示す図である。
【００３９】
図５を参照すれば、広告キーワード提案システム１１０は、キーワード入力部５００、データベース５１０、代表キーワード抽出部５２０、キーワード比較部５３０、業種判断部５４０、業種キーワード指定部５５０、広告キーワード提案部５６０、および広告掲載部５７０を備える。
【００４０】
キーワード入力部５００は、新規の広告主と関連するキーワードの入力を受信する。すなわち、キーワード入力部５００は、図３に示すように、前記新規の広告主から直接キーワードの入力を受信したり、業種を選択するためのキーワードの入力を受信したり、前記新規の広告主のホームページを分析して抽出されたキーワードの入力を受信したりすることができる。
【００４１】
データベース５１０は、図２に示すような既存の広告主から選択された広告キーワードを記録して維持する。また、データベース５１０は、図２に示すような既存の広告主から選択された広告キーワードと、図３に示すような新規の広告主から入力されたキーワードとを比較した結果、前記キーワードに対する一致率が所定の基準値以上である広告主キーワードプールを収集し、図４に示すように業種キーワードデータベースとして記録して維持してもよい。
【００４２】
代表キーワード抽出部５２０は、所定の基準以上の成果を有する既存の広告主の広告キーワードから代表キーワードを抽出する。すなわち、代表キーワード抽出部５２０は、データベース５１０を参照して所定の基準以上のクリック課金、およびクリックまたはキーワード数を充足する前記既存の広告主の広告キーワードから所定の基準値以上の売上げ上位のキーワードを前記代表キーワードとして抽出することができる。
【００４３】
キーワード比較部５３０は、前記新規の広告主と関連して入力されたキーワードと前記既存の広告主の代表キーワードとを比較する。すなわち、キーワード比較部５３０は、代表キーワードすなわち既存広告主端末機１０１〜１０３の広告キーワード２１０〜２３０のうちの売上げ上位のキーワードと新規広告主端末機１０４から入力されたキーワードとを比較することができる。
【００４４】
業種判断部５４０は、前記比較結果に応じて前記新規の広告主が前記既存の広告主と同一業種であるか否かを判断する。すなわち、業種判断部５４０は、前記新規の広告主から入力されたキーワードと前記既存の広告主の代表キーワードとを比較した結果、キーワードに対する一致率が所定の基準値以上である場合、前記新規の広告主が前記既存の広告主と同一業種に属すると判断することができる。一例として、前記既存の広告主の代表キーワードと前記新規の広告主の入力キーワードとを比較した結果、一致率が７０％以上である既存の広告主の業種がランニングシューズショッピングモールである場合、業種判断部５４０は、前記新規の広告主の業種が前記既存の広告主と同一のランニングシューズショッピングモールであると判断することができる。また、業種判断部５４０は、前記新規の広告主から入力されたキーワードと前記既存の広告主の代表キーワードとを比較した結果、一致率が所定の基準値未満である場合、前記新規の広告主が前記既存の広告主と同一業種でない新規業種であると判断してもよい。
【００４５】
業種キーワード指定部５５０は、新規の広告主と既存の広告主とが同一業種に属するかどうかによって所定のキーワードセットを業種キーワードに指定する。一例として、前記新規の広告主が前記既存の広告主と同一業種である場合、業種キーワード指定部５５０は、前記既存の広告主が運用するキーワードセットを業種キーワードに指定する。すなわち、業種キーワード指定部５５０は、内前記新規の広告主が前記既存の広告主と同一業種に属する場合、部的な基準による業種キーワードセットを保有するかキーワードマップを活用して前記既存の広告主に対するカテゴリーを抽出したキーワードを業種キーワードに指定することができる。一例として、前記新規の広告主が新規業種の広告主である場合、業種キーワード指定部５５０は、前記新規の広告主のホームページを分析して抽出したキーワードセットを前記業種キーワードに指定することができる。
【００４６】
広告キーワード提案部５６０は、前記業種キーワードを分析した結果に基づいて広告キーワードを前記新規の広告主に提案する。すなわち、広告キーワード提案部５６０は、広告キーワードとして用いられている業種キーワードを除いたキーワードを新規の広告主に提案することができる。一例として、広告キーワード提案部５６０は、前記業種キーワードを分析した結果に基づいて、定められた期間内でクリック率が所定のレベル以下である業種キーワードを除去した残りの業種キーワードを前記広告キーワードとして前記新規の広告主に提案することができる。また、広告キーワード提案部５６０は、前記新規の広告主が新規業種に属する場合、前記新規の広告主のホームページを分析した結果に応じて、指定された業種キーワードを前記広告キーワードとして前記新規の広告主に提案することができる。
【００４７】
広告掲載部５７０は、前記提案された広告キーワードを用いて広告グループを自動的に設定して広告を掲載する。すなわち、広告掲載部５７０は、提案された広告キーワードを１つの広告グループまたは広告キャンペーンとして自動的に設定し、広告主に運営されるようにすることができる。
【００４８】
このように、本発明の本実施形態に係る広告キーワード提案システム１１０は、広告主の業種オプションチェックまたはキーワード自動登録オプションを介して該当の業種に最適化されたキーワードグループまたはキャンペーンを生成して運動可能に自動に設定することができる。
【００４９】
図６は、本発明の一実施形態に係る広告キーワードの提案方法の流れを示す図である。
【００５０】
図６に示すように、処理Ｓ６１０において広告キーワード提案システムは、新規の広告主と関連するキーワードの入力を受信する。すなわち、処理Ｓ６１０において、前記広告キーワード提案システムは、前記新規の広告主から指定された最小の個数だけ代表キーワードの入力を受信したり、広告したい業種を選択できるキーワードの入力を受信したり、前記新規の広告主のホームページを分析して抽出されたキーワードの入力を受信したりすることができる。
【００５１】
処理Ｓ６２０において前記広告キーワード提案システムは、所定の基準以上の成果を有する既存の広告主の広告キーワードの中から代表キーワードを抽出する。すなわち、処理Ｓ６２０において前記広告キーワード提案システムは、所定の基準以上のクリック課金、およびクリックまたはキーワード数を充足する前記既存の広告主の広告キーワードの中から基準値以上の売上げ上位のキーワードを前記代表キーワードとして抽出することができる。
【００５２】
このように、本発明の本実施形態に係る広告キーワードの提案方法は、売上げ上位のキーワードすなわち既存の広告主によって所定以上の広告効果を出せると検証されたキーワードを代表キーワードとして抽出することによって所定のレベル以上の広告効果を発揮することができる。
【００５３】
処理Ｓ６３０において、前記広告キーワード提案システムは、前記新規の広告主と関連して入力されたキーワードと前記既存の広告主の代表キーワードとを比較する。すなわち、処理Ｓ６３０において前記広告キーワード提案システムは、既存広告主端末機１０１〜１０３の広告キーワード２１０〜２３０の中の売上げ上位のキーワードの代表キーワードと新規広告主端末機１０４から入力されたキーワードとを比較することができる。
【００５４】
処理Ｓ６４０において、前記広告キーワード提案システムは、前記比較結果に応じて、前記新規の広告主が前記既存の広告主と同一業種に属するか否かを判断する。すなわち、処理Ｓ６４０において前記広告キーワード提案システムは、前記新規の広告主から入力されたキーワードと前記既存の広告主の代表キーワードとを比較した結果、キーワード間の一致率が基準値以上である場合、前記新規の広告主が前記既存の広告主と同一業種に属すると判断することができる。一例として、図２に示された既存広告主端末機１０１〜１０３の広告キーワード２１０〜２３０と、新規広告主端末機１０４から入力されたキーワードとを比較した結果、前記入力キーワードに対する一致率が７０％以上である広告キーワード２１０、２３０の既存広告主端末機１０１、１０３の業種がランニングシューズショッピングモールである場合、処理Ｓ６４０において前記広告キーワード提案システムは、前記新規の広告主の業種が前記既存の広告主と同一のランニングシューズショッピングモールであると判断してもよい。
【００５５】
これとは異なり、処理Ｓ６４０において前記広告キーワード提案システムは、前記新規の広告主から入力されたキーワードと前記既存の広告主の代表キーワードとを比較した結果、キーワードに対する一致率が所定の基準値未満である場合、前記新規の広告主が前記既存の広告主と同一業種でない新規業種に属すると判断してもよい。
【００５６】
このように、本発明の本実施形態に係る広告キーワードの提案方法は、広告主が直接に業種キーワードを選択しなければならないという煩わしさを軽減させることができ、従来における関連キーワード方式などによって業種に対して比較的低い関連性が検証されたキーワードを補完することにより、関連性のより高い広告キーワードを提案することができる。
【００５７】
処理Ｓ６５０において前記広告キーワード提案システムは、新規の広告主と既存の広告主とが同一業種に属するかどうかの判断に依存して所定のキーワードセットを業種キーワードに指定する。一例として、処理Ｓ６５０において前記広告キーワード提案システムは、前記新規の広告主が前記既存の広告主と同一業種に属する場合、前記既存の広告主が運用するキーワードセットを前記業種キーワードに指定することができる。一例として、処理Ｓ６５０において前記広告キーワード提案システムは、前記新規の広告主が新規業種の広告主である場合、前記新規の広告主のホームページを分析して抽出したキーワードセットを前記業種キーワードに指定することができる。
【００５８】
処理Ｓ６６０において前記広告キーワード提案システムは、前記業種キーワードを分析した結果に依存して、広告キーワードを前記新規の広告主に提案する。すなわち、処理Ｓ６６０において前記広告キーワード提案システムは、前記業種キーワードを分析した結果、定められた期間内でクリック率が所定のレベル以下の業種キーワードを除去した残りの業種キーワードを前記広告キーワードとして前記新規の広告主に提案することができる。また、処理Ｓ６６０において前記広告キーワード提案システムは、前記新規の広告主が新規業種の広告主である場合、前記新規の広告主のホームページを分析した結果に依存して、指定された業種キーワードを前記広告キーワードとして前記新規の広告主に提案することができる。さらに、処理Ｓ６６０において前記広告キーワード提案システムは、前記提案された広告キーワードを用いて広告グループを自動的に設定して広告を掲載することができる。
【００５９】
このように、本発明の本実施形態に係る広告キーワードの提案方法は、提案された広告キーワードを１つの広告グループまたは広告キャンペーンとして自動的に設定して広告主が運営できるようにすることができる。
【００６０】
また、本発明に係る広告キーワード提案システムは、広告グループを設定して広告を掲載するように提案し、自動掲載方式によって同一業種の自動的な掲載を提案することもできる。
【００６１】
なお、本発明の実施形態に係る広告機ワード提案システムは、コンピュータ読取可能な記録媒体に記録され、コンピュータにより実現される多様な動作を実行するためのプログラム命令を含むことができる。記録媒体は、プログラム命令、データファイル、データ構造などを単独または組み合わせて含むことができる。記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、オプティカルディスクのような光−磁気媒体、および読出し専用メモリ（ＲＯＭ）、ランダムアクセスメモリ（ＲＡＭ）、フラッシュメモリなどのようなプログラム命令を保存して実行するように特別に構成されたハードウェア装置が含まれる。プログラム命令の例としては、コンパイラによって生成されるような機械語コードや、インタプリタなどを用いてコンピュータによって実行され得る高級言語コードを含む。上述したハードウェア装置は、本発明の動作を行うため１つ以上のソフトウェアモジュールとして作動するよう構成され、その逆も同様である。
【００６２】
上述したように、本発明のいくつかの実施形態を参照して説明したが、本発明は上述の実施形態に限定されることはない。該当の技術分野において熟練した当業者は、特許請求の範囲に記載された本発明の思想および領域から逸脱しない範囲内で、本発明を変更することができることを理解することができるであろう。
【図１】
2010537271.tif 000003
【図２】
2010537271.tif 000004
【図３】
2010537271.tif 000005
【図４】
2010537271.tif 000006
【図５】
2010537271.tif 000007
【図６】
2010537271.tif 000008
【国際調査報告】
2010537271.tif 000009
2010537271.tif 000010